(57)【要約】【課題】記録媒体との間の放電によるヘッドの損傷を防止し、信頼性の向上した磁気ヘッド、およびこれを備えたディスク装置を提供する。【解決手段】ディスク装置の磁気ヘッド３３は、スライダ４２と、スライダの一端部に設けられヘッド部４４と、を有している。ヘッド部は、再生素子５４と、再生素子の両側に積層された上部シールド層６２ｂおよび下部シールド層６２ａと、上部シールド層に並んで設けられた主磁極６６、主磁極を励起するコイル７０、およびリターンヨーク６８を有する記録素子５６と、リターンヨークの近傍に設けられ、リターンヨーク部分を加熱膨張させ、リターンヨークを記録媒体の表面に最も隣接する最下点部とするヒータ５８と、を有している。リターンヨークはグランドに接続され、リターンヨークとグランドの抵抗値は、再生素子、上部シールド層、下部シールド層、および主磁極のグランドに対する抵抗値よりも低い。【選択図】      図８
2008186549.tif 000002
【特許請求の範囲】
【請求項１】
回転自在なディスク状の記録媒体を有するディスク装置の磁気ヘッドであって、
前記記録媒体の表面と対向する対向面を有するスライダと、
前記スライダの一端部に設けられ前記記録媒体に対し情報処理を行うヘッド部と、を備え、
前記ヘッド部は、再生素子と、再生素子の両側に積層された上部シールド層および下部シールド層と、上部シールド層に並んで設けられた主磁極、主磁極を励起するコイル、およびリターンヨークを有する記録素子と、前記リターンヨークの近傍に設けられ、リターンヨーク部分を加熱膨張させ、前記リターンヨークを前記記録媒体の表面に最も隣接する最下点部とするヒータと、を備え、
前記リターンヨークはグランドに接続され、前記リターンヨークとグランドとの間の抵抗値は、前記再生素子、上部シールド層、下部シールド層、および主磁極のグランドに対する抵抗値よりも低い値である磁気ヘッド。
【請求項２】
前記ヘッド部は、前記リターンヨークと前記スライダとを導通した金属膜を有している請求項１に記載の磁気ヘッド。
【請求項３】
前記ヘッド部は、前記再生素子の近傍に設けられ、再生素子部分を加熱膨張させて前記記録媒体表面との隙間を調整する第２ヒータを備えている請求項１又は２に記載の磁気ヘッド。
【請求項４】
前記ヘッド部は、グランドに接続される端子と、前記リターンヨークと前記スライダとを導通した金属膜を有している請求項１に記載の磁気ヘッド。
【請求項５】
回転自在なディスク状の記録媒体を有するディスク装置の磁気ヘッドであって、
前記記録媒体の表面と対向する対向面を有するスライダと、
前記スライダの一端部に設けられ前記記録媒体に対し情報処理を行うヘッド部と、を備え、
前記ヘッド部は、再生素子と、再生素子の両側に積層された上部シールド層および下部シールド層と、上部シールド層に並んで設けられた主磁極、主磁極を励起するコイル、およびリターンヨークを有する記録素子と、絶縁層を挟んで前記リターンヨークに並んで形成された非磁性導電層と、前記非磁性導電層の近傍に設けられ、非磁性導電層部分を加熱膨張させて前記記録媒体の表面に最も隣接する最下点部とするヒータと、を備え、
前記非磁性導電層はグランドに接続され、前記リターンヨークとグランドとの間の抵抗値は、前記再生素子、上部シールド層、下部シールド層、および記録素子のグランドに対する抵抗値よりも低い値である磁気ヘッド。
【請求項６】
ディスク状の記録媒体と、
前記記録媒体を支持しているとともに回転する駆動部と、
前記記録媒体の表面と対向する対向面を有するスライダ、および前記スライダの一端部に設けられ前記記録媒体に対し情報処理を行うヘッド部と、を有する磁気ヘッドと、
前記記録媒体に対して前記ヘッドを移動自在に支持したヘッドサスペンションと、を備え、
前記ヘッド部は、再生素子と、再生素子の両側に積層された上部シールド層および下部シールド層と、上部シールド層に並んで設けられた主磁極、主磁極を励起するコイル、およびリターンヨークを有する記録素子と、前記リターンヨークの近傍に設けられ、リターンヨーク部分を加熱膨張させ、前記リターンヨークを前記記録媒体の表面に最も隣接する最下点部とするヒータと、を備え、
前記リターンヨークはグランドに接続され、前記リターンヨークとグランドとの間の抵抗値は、前記再生素子、上部シールド層、下部シールド層、および主磁極のグランドに対する抵抗値よりも低い値であるディスク装置。
【請求項７】
前記ヘッド部は、前記リターンヨークと前記スライダとを導通した金属膜を有している請求項６に記載のディスク装置。
【請求項８】
前記ヘッド部は、前記再生素子の近傍に設けられ、再生素子部分を加熱膨張させて前記記録媒体表面との隙間を調整する第２ヒータを備えている請求項６又は８に記載のディスク装置。
【請求項９】
前記ヘッド部は、グランドに接続される端子と、前記リターンヨークと前記スライダとを導通した金属膜を有している請求項６に記載のディスク装置。
【請求項１０】
ディスク状の記録媒体と、
前記記録媒体を支持しているとともに回転する駆動部と、
前記記録媒体の表面と対向する対向面を有するスライダ、および前記スライダの一端部に設けられ前記記録媒体に対し情報処理を行うヘッド部と、を有する磁気ヘッドと、
前記記録媒体に対して前記ヘッドを移動自在に支持したヘッドサスペンションと、を備え、
前記ヘッド部は、再生素子と、再生素子の両側に積層された上部シールド層および下部シールド層と、上部シールド層に並んで設けられた主磁極、主磁極を励起するコイル、およびリターンヨークを有する記録素子と、絶縁層を挟んで前記リターンヨークに並んで形成された非磁性導電層と、前記非磁性導電層の近傍に設けられ、非磁性導電層部分を加熱膨張させて前記記録媒体の表面に最も隣接する最下点部とするヒータと、を備え、
前記非磁性導電層はグランドに接続され、前記リターンヨークとグランドとの間の抵抗値は、前記再生素子、上部シールド層、下部シールド層、および記録素子のグランドに対する抵抗値よりも低い値であるディスク装置。
【発明の詳細な説明】
【技術分野】
【０００１】
この発明は、ディスク装置に用いる磁気ヘッド、この磁気ヘッドを備えたディスク装置に関する。
【背景技術】
【０００２】
ディスク装置として、例えば、磁気ディスク装置は、ケース内に配設された磁気ディスクと、磁気ディスクを支持および回転駆動するスピンドルモータと、磁気ディスクに対して情報のリード／ライトを行う磁気ヘッドと、磁気ヘッドを磁気ディスクに対して移動自在に支持したキャリッジアッセンブリと、を備えている。キャリッジアッセンブリは、回動自在に支持されたアームと、アームから延出したサスペンションとを備え、このサスペンションに延出端に磁気ヘッドが支持されている。磁気ヘッドは、サスペンションに取り付けられたスライダ、およびスライダに設けられたヘッド部を有し、ヘッド部は、リード用の再生素子、ライト用の記録素子を含んで構成されている。
【０００３】
磁気ディスク装置の動作時、スライダは、サスペンションにより、回転する磁気ディスクの磁気記録層に対し僅かに浮上した状態に支持され、また、磁気ヘッドの記録素子および再生素子は、磁気記録層と所望の隙間、すなわち、磁気スページングをもって保持される。磁気ディスク装置の高記録密度化、大容量化あるいは小型化を実現するためには、スライダと磁気ディスクとの距離、すなわちスライダの浮上量を縮め、線記録密度を上げることが有効となる。
【０００４】
このようなスライダを備えた磁気ディスク装置では、磁気ディスクに対して信号記録を行う際、磁気ヘッドの記録素子が発熱する。そのため、磁気ヘッドの記録、再生素子近傍部分が磁気ディスク側に熱膨張する。また、磁気ディスクを高温環境下で使用する場合、ヘッド部が磁気ディスク表面側に膨張するサーマルプロトリュ−ジョンが生じる。このようなヘッド部の熱膨張が生じた場合、ヘッド部が磁気ディスク表面に接近あるいは接触する。また、磁気ディスク装置において、ディスク表面に電位が発生している。そのため、ヘッド部が磁気ディスク表面に接近あるいは接触した場合、ヘッド部とディスク表面との電位差により、これらの間で放電が発生し、ヘッド部の再生素子が損傷あるいは破壊させる可能性がある。  
このような放電に生じる電荷を逃がす方法として、導電性オイルを用いて放電経路を形成したモータが提案されている（特許文献１）。
【特許文献１】特開２００３−３１４５３４号公報
【発明の開示】
【発明が解決しようとする課題】
【０００５】
しかしながら、磁気ディスク装置を高温環境下で動作させた場合、ディスクからの静電気は導電性オイルをしても充分に放電されない。そのため、放電による再生素子の破壊を有効に防止することが難しい。
【０００６】
この発明は以上の点に鑑みなされたもので、その目的は、記録媒体との間の放電によるヘッドの損傷を防止し、信頼性の向上した磁気ヘッド、これを備えたディスク装置を提供することにある。
【課題を解決するための手段】
【０００７】
上記目的を達成するため、この発明の態様に係る磁気ヘッドは、回転自在なディスク状の記録媒体を有するディスク装置の磁気ヘッドであって、前記記録媒体の表面と対向する対向面を有するスライダと、前記スライダの一端部に設けられ前記記録媒体に対し情報処理を行うヘッド部と、を備え、  
前記ヘッド部は、再生素子と、再生素子の両側に積層された上部シールド層および下部シールド層と、上部シールド層に並んで設けられた主磁極、主磁極を励起するコイル、およびリターンヨークを有する記録素子と、前記リターンヨークの近傍に設けられ、リターンヨーク部分を加熱膨張させ、前記リターンヨークを前記記録媒体の表面に最も隣接する最下点部とするヒータと、を備え、前記リターンヨークはグランドに接続され、前記リターンヨークとグランドとの間の抵抗値は、前記再生素子、上部シールド層、下部シールド層、および主磁極のグランドに対する抵抗値よりも低い値である。
【０００８】
この発明の他の態様に係るディスク装置は、ディスク状の記録媒体と、前記記録媒体を支持しているとともに回転駆動する駆動部と、前記記録媒体の表面と対向する対向面を有するスライダ、および前記スライダの一端部に設けられ前記記録媒体に対し情報処理を行うヘッド部と、を有する磁気ヘッドと、前記記録媒体に対して前記ヘッドを移動自在に支持したヘッドサスペンションと、を備え、  
前記ヘッド部は、再生素子と、再生素子の両側に積層された上部シールド層および下部シールド層と、上部シールド層に並んで設けられた主磁極、主磁極を励起するコイル、およびリターンヨークを有する記録素子と、前記リターンヨークの近傍に設けられ、リターンヨーク部分を加熱膨張させ、前記リターンヨークを前記記録媒体の表面に最も隣接する最下点部とするヒータと、を備え、前記リターンヨークはグランドに接続され、前記リターンヨークとグランドとの間の抵抗値は、前記再生素子、上部シールド層、下部シールド層、および主磁極のグランドに対する抵抗値よりも低い値である。
【発明の効果】
【０００９】
本発明の態様によれば、ヒータによってリターンヨーク部分あるいは非磁性導電性層部分を適切に最下点に制御することにより、記録媒体上の静電気をリターンヨークあるいは非磁性導電層を通してグランドに放電することができる。これにより、記録媒体との間の放電による再生素子等の損傷を防止し、信頼性の向上した磁気ヘッド、およびこれを備えたディスク装置を提供することができる。
【発明を実施するための最良の形態】
【００１０】
以下図面を参照しながら、この発明に係るディスク装置をハードディスクドライブ（以下、ＨＤＤと称する）に適用した第１の実施形態について詳細に説明する。
【００１１】
図１は、ＨＤＤのトップカバーを取り外して内部構造を示し、図２は、浮上状態の磁気ヘッドを示している。図１に示すように、ＨＤＤは筐体１０を備えている。この筐体１０は、上面の開口した矩形箱状のベース１１と、図示しない矩形板状のトップカバーを備えている。トップカバーは、複数のねじによりベースにねじ止めされ、ベースの上端開口を閉塞している。これにより、筐体１０内部は気密に保持され、呼吸フィルター２６を通してのみ、外部と通気可能となっている。ベース１１およびトップカバーは例えばアルミ、鉄、ステンレス、冷間圧延炭素鋼鈑等の金属材料によって形成されている。
【００１２】
ベース１１上には、記録媒体としての磁気ディスク１２および機構部が設けられている。機構部は、磁気ディスクを支持および回転させるスピンドルモータ１３、磁気ディスクに対して情報の記録、再生を行なう複数、例えば、２つの磁気ヘッド３３、これらの磁気ヘッド３３を磁気ディスク１２の表面に対して移動自在に支持したヘッドアクチュエータ１４、ヘッドアクチュエータを回動および位置決めするボイスコイルモータ（以下ＶＣＭと称する）１６を備えている。また、ベース１１上には、磁気ヘッド３３が磁気ディスクの最外周に移動した際、磁気ヘッドを磁気ディスクから離間した位置に保持するランプロード機構１８、ＨＤＤに衝撃等が作用した際、ヘッドクチュエータを退避位置に保持するイナーシャラッチ機構２０、およびプリアンプ、ヘッドＩＣ等の電子部品が実装された基板ユニット１７が設けられている。
【００１３】
ベース１１の外面には、基板ユニット１７を介してスピンドルモータ１３、ＶＣＭ１６、および磁気ヘッド３３の動作を制御する制御回路基板２５がねじ止めされ、ベース１１の底壁と対向して位置している。
【００１４】
磁気ディスク１２は、例えば、直径約２．５インチの円板状に形成され非磁性体からなる基板を有している。基板の各面には、ソフト・マグネティク・アンダーレーヤーと呼ばれる軟磁性裏打ち層、垂直磁気異方性を有した磁化記録層が順次積層され、さらにその上に保護膜が形成されている。
【００１５】
磁気ディスク１２は、後述するスピンドルモータ１３のハブに互いに同軸的に嵌合されているとともにハブの上端にねじ止めされたクランプばね２１によりクランプされ、ハブに固定されている。磁気ディスク１２は、駆動モータとしてのスピンドルモータ１３により所定の速度で矢印Ｂ方向に回転駆動される。
【００１６】
ヘッドアクチュエータ１４は、ベース１１の底壁上に固定された軸受部２４と、軸受部から延出した複数のアーム２７と、を備えている。これらのアーム２７は、磁気ディスク１２の表面と平行に、かつ、互いに所定の間隔を置いて位置しているとともに、軸受部２４から同一の方向へ延出している。ヘッドアクチュエータ１４は、弾性変形可能な細長い板状のサスペンション３０を備えている。サスペンション３０は、板ばねにより構成され、その基端がスポット溶接あるいは接着によりアーム２７の先端に固定され、アームから延出している。各サスペンション３０は対応するアーム２７と一体に形成されていてもよい。アーム２７およびサスペンション３０によりヘッドサスペンションを構成し、このヘッドサスペンションと磁気ヘッド３３とによりヘッドサスペンションアッセンブリを構成している。
【００１７】
図２に示すように、各磁気ヘッド３３は、後述するように、ほぼ直方体形状のスライダ４２とこのスライダの流出端に設けられた記録再生用のヘッド部４４とを有している。磁気ヘッド３３は、サスペンション３０の先端部に設けられたジンバルばね４１に固定されている。各磁気ヘッド３３は、サスペンション３０の弾性により、磁気ディスク１２の表面に向かうヘッド荷重Ｌが印加されている。２本のアーム２７は所定の間隔を置いて互いに平行に位置し、これらのアームに取り付けられたサスペンション３０および磁気ヘッド３３は、磁気ディスク１２を間に挟んで互いに向かい合って位置している。
【００１８】
各磁気ヘッド３３は、サスペンション３０およびアーム２７上に固定された中継フレキシブルプリント回路基板（以下、中継ＦＰＣと称する）３５を介して後述するメインＦＰＣ３８に電気的に接続されている。
【００１９】
図１に示すように、基板ユニット１７は、フレキシブルプリント回路基板により形成されたＦＰＣ本体３６と、このＦＰＣ本体から延出したメインＦＰＣ３８とを有している。ＦＰＣ本体３６は、ベース１１の底面上に固定されている。ＦＰＣ本体３６上には、プリアンプ３７、ヘッドＩＣを含む電子部品が実装されている。メインＦＰＣ３８の延出端は、ヘッドアクチュエータ１４に接続され、各中継ＦＰＣ３５を介して磁気ヘッド３３に接続されている。
【００２０】
ＶＣＭ１６は、軸受部２４からアーム２７と反対方向に延出した図示しない支持フレーム、および支持フレームに支持されたボイスコイルを有している。ヘッドアクチュエータ１４をベース１１に組み込んだ状態において、ボイスコイルは、ベース１１上に固定された一対のヨーク３４間に位置し、これらのヨークおよびヨークに固定された磁石とともにＶＣＭ１６を構成している。
【００２１】
磁気ディスク１２が回転した状態でボイスコイルに通電することにより、ヘッドアクチュエータ１４が回動し、磁気ヘッド３３は磁気ディスク１２の所望のトラック上に移動および位置決めされる。この際、磁気ヘッド３３は、磁気ディスク１２の径方向に沿って、磁気ディスクの内周縁部と外周縁部との間を移動される。
【００２２】
次に、磁気ヘッド３３の構成について詳細に説明する。図３は磁気ヘッドのスライダを示す斜視図、図４はスライダの断面図、図５はヘッド部を拡大して示す断面図である。  
図３に示すように、磁気ヘッド３３は浮上型のヘッドとして構成され、ほぼ直方体状に形成されたスライダ４２と、スライダの流出端側の端面に形成されたヘッド部４４とを有している。スライダ４２は、例えば、アルミナとチタンカーバイドの焼結体（アルチック）で形成された基板部分４２ａと、薄膜で形成されたヘッド部４４とを有している。基板部分４２ａの抵抗は、数１０Ωと比較的低い抵抗値を有している。
【００２３】
スライダ４２は、磁気ディスク１２の表面に対向する矩形状のディスク対向面（空気支持面（ＡＢＳ面））４３を有している。スライダ４２は、磁気ディスク１２の回転によってディスク表面とディスク対向面４３との間に生じる空気流Ｃ（図２、図４参照）により浮上する。空気流Ｃの方向は、磁気ディスク１２の回転方向Ｂと一致している。スライダ４２は、磁気ディスク１２表面に対し、ディスク対向面４３の長手方向が空気流Ｃの方向とほぼ一致するように配置されている。
【００２４】
スライダ４２のディスク対向面４３上には正圧を発生させるほぼ矩形状のリーディングステップ部４６および一対のサイドステップ部４８が突設されている。一対のサイドステップ部４８は、ディスク対向面４３の各長辺に沿って延びているとともに間隔を置いて対向しているとともに、リーディングステップ部４６からスライダ４２の流出端側に延出している。リーディングステップ部４６および一対のサイドステップ部４８は、スライダ４２の中心軸線に対して対象に設けられ、全体として、流入側が閉塞され、流出側に向かって開放したほぼＵ字形状に形成されている。
【００２５】
ディスク対向面４３のほぼ中央部には、一対のサイドステップ部４８およびリーディングステップ部４６によって規定された凹所からなる負圧キャビティ５０が形成されている。負圧キャビティ５０は、空気流Ｃの方向に対し、リーディングステップ部４６の流出端側に形成され、かつ、流出端側に向かって開放している。負圧キャビティ５０を設けることにより、ＨＤＤで実現される全てのヨー角において、ディスク対向面４３中心部で負圧を発生させることができる。
【００２６】
スライダ４２は、空気流Ｃの方向に対して、ディスク対向面４３の流出側の端部に突出して設けられたほぼ矩形状のトレーリングステップ部５２を有している。トレーリングステップ部５２は、空気流Ｃの方向に対して、負圧キャビティ５０の下流側に位置し、かつ、ディスク対向面４３の幅方向ほぼ中央に位置している。
【００２７】
図３ないし図６に示すように、ヘッド部４４は、基板４２ａの流出端側の端面上に、薄膜プロセスで形成された磁気再生素子５４、磁気記録素子５６、配線を構成する複数の金属膜、ヘッド部の一部を加熱して熱膨張させ、磁気ディスク表面側へ突出させるヒータ５８を備えている。また、ヘッド部４４は、再生素子５４、記録素子５６、およびヒータ５８を外部に電気的に接続するための複数、例えば、６つの端子６０ａ、６０ｂ、６０ｃを有し、これらの端子は、ヘッド部の端面に露出して設けられている。
【００２８】
詳細に述べると、基板４２ａの流出端側の端面上には、絶縁層６１が形成され、この絶縁層上に、下部シールド層６２ａ、アルミナ等からなるギャップ膜６３、磁気再生素子５４である磁気抵抗効果型素子（ＭＲ素子）、再生素子から電気信号を引き出すための図示しない一対の電極が形成されている。ギャップ膜６３に重ねて上部シールド層６２ｂが形成されている。上部シールド層６２ｂに重ねて上部絶縁膜６４が形成されている。
【００２９】
磁気記録素子５６は、磁気再生素子５４に対して、スライダの流出端側に設けられている。磁気記録素子５６は単磁極ヘッドとして構成され、磁気ディスク１２に対して記録磁界を印加する主磁極６６と、磁束のリターンパスとなるリターンヨーク６８とを有している。主磁極６６には、磁気ディスク１２に信号を書き込む際に主磁極を励磁する記録コイル７０が巻装さている。主磁極６６は、上部絶縁膜６４に重ねて形成されている。主磁極６６に重ねて絶縁膜７１が形成され、この絶縁膜に重ねてリターンヨーク６８が形成されている。
【００３０】
これら磁気再生素子５４、磁気記録素子５６、シールド層を保護絶縁するため、アルミナ等からなる保護絶縁膜７２が形成され、これらの素子を覆っている。保護絶縁膜７２は、ヘッド部４４の外形を構成している。保護絶縁膜７２内には、金属膜からなるヒータ５８が形成され、リターンヨーク６８の近傍に位置している。本実施形態において、ヒータ５８は、リターンヨーク６８の磁気ディスク１２側の端部の近傍で、かつ、この端部の流出端側に設けられている。
【００３１】
保護絶縁膜７２の外面、つまり、流出側の端面には、６つの端子６０ａ、６０ｂ、６０ｃが形成されている。また、配線を構成する図示しない複数の金属膜が形成され、磁気記録素子５６は金属膜を介して一対の端子６０ａに電気的に接続されている。磁気記録素子５６の主磁極６６は金属膜を介して端子６０ｂの一方に電気的に接続され、リターンヨーク６８は金属膜７４を介して端子６０ｂの他方に電気的に接続されている。また、ヒータ５８は金属膜を介して一対の端子６０ｃに電気的に接続されている。
【００３２】
上記のように構成された磁気ヘッド３３は、図４および図７に示すように、サスペンション３０の先端部にジンバル７６に取り付けられている。すなわち、スライダ４２を構成する基板４２ａの背面は、銀ペースト７７等によりジンバル７６に貼付されている。これにより、スライダ４２はジンバル７６およびサスペンション３０に対して固定され、かつ、電気的に接続されている。サスペンション３０は、前述したアーム及び軸受部を介して、グランドとなるベース１１に電気的に接続されている。
【００３３】
サスペンション３０上には中継ＦＰＣ７８を含むトレース８０が固定されている。中継ＦＰＣ７８は、サスペンション３０の延出端からサスペンションおよびアームを通って軸受部２４近傍まで延びた複数、ここでは６本の配線７８ａを有している。配線７８ａの先端は、磁気ヘッド３３の端子６０ａ、６０ｂ、６０ｃにそれぞれハンダ等の接続材料を用いて電気的に接続されている。また、配線７８ａの他端は、メインＦＰＣ３８を介して基板ユニット１７のプリアンプ３７に接続されている。プリアンプ３７は、電源線及び読み書き用の信号線及び再生記録動作制御用の信号線がＦＰＣを介して制御回路基板２５に電気的に接続されている。制御回路基板２５は、ベース１１の基準電位となるグランドに電気的に接続されている。このため、グランドは、プリアンプ３７まで引き込まれている。
【００３４】
磁気ヘッド３３のリターンヨーク６８は、金属膜７４、端子６０ｃ、中継ＦＰＣ７８、メインＦＰＣ３８を介してプリアンプ３７に接続され、プリアンプまで引き込まれたグランドに電気的に接続されている。従って、リターンヨーク６８はＨＤＤのグランドに接続されている。リターンヨーク６８とグランドとの間の抵抗値は、主磁極６６、上部シールド層６２ｂ、下部シールド層６２ａ、磁気再生素子５４がそれぞれグランドに対して持つ抵抗値よりも低い値に形成されている。望ましくは、リターンヨーク６８とグランドとの間の抵抗値は、１０Ω以下に設定される。
【００３５】
なお、制御回路基板２５は、ＨＤＤ全体の動作および磁気ヘッド３３の再生記録動作を制御するとともに、信号処理を行う。また、制御回路基板２５は磁気ヘッド３３に設けられてヒータ５８の動作を制御する。
【００３６】
以上のように構成されたＨＤＤによれば、ＶＣＭ１６を駆動することにより、ヘッドアクチュエータ１４が回動し、磁気ヘッド３３は、磁気ディスク１２の所望のトラック上に移動され、位置決めされる。また、磁気ヘッド３３は、磁気ディスク１２の回転によってディスク表面とディスク対向面４３との間に生じる空気流Ｃにより浮上する。ＨＤＤの動作時、スライダ４２のディスク対向面４３はディスク表面に対し隙間を保って対向している。図４に示すように、磁気ヘッド３３は、ヘッド部４４の磁気記録素子５６部分が最も磁気ディスク表面に接近した傾斜姿勢をとって浮上する。この状態で、磁気ディスク１２に対して、磁気再生素子５４により記録情報の読み出しを行うとともに、磁気記録素子５６により情報を書き込みを行う。
【００３７】
ＨＤＤの動作時、磁気ディスク表面の凹凸等に起因して磁気ヘッド３３が磁気ディスク表面に接触あるいは近距離に接近する場合がある。また、磁気ヘッド３３の読み出しあるいは書き込み動作を選択すると、磁気ディスク１２からの静電気が磁気再生素子内を急激に放電する可能性が生じる。そこで、上記ＨＤＤによれば、図５に示すように、予め決められた適切なタイミングおよび出力にてヒータ５８を駆動し、リターンヨーク６８部分を加熱して膨張、突出させ、リターンヨークを磁気ディスク表面に最も隣接する最下点部とする。ヒータ５８を駆動開始のタイミングとしては、例えば、磁気ヘッド３３が磁気ディスク１２上を浮上しているアイドリング状態から、磁気ヘッドにより情報を読み出しあるいは書き込み動作する直前とする。これにより、磁気ヘッド３３は、リターンヨーク６８部分で磁気ディスク１２の表面に接触する。
【００３８】
この状態で、磁気ディスク表面上に生じた静電気に伴い、磁気ヘッド３３に電位上昇が生じる。しかし、リターンヨーク６８は金属膜７４を介してグランドに接続されているため、磁気ディスク表面のグランドへ敏速に放電することができる。その結果、磁気ディスク１２と磁気ヘッド３３と間、特に、電気的破壊に弱い磁気再生素子５４と磁気ディスクとの間に不必要な電位差を生じさせず、静電気によるヘッド破壊を防ぐことができる。これにより、信頼性の高い磁気ヘッドおよびＨＤＤが得られる。
【００３９】
次に、この発明の第２の実施形態に係るＨＤＤの磁気ヘッドについて説明する。  
図８に示すように、第２の実施形態によれば、磁気ヘッド３３の磁気記録素子５６を構成したリターンヨーク６８は、金属膜８２を介して、スライダ４２の基板４２ａに電気的に接続されている。基板４２ａは低い抵抗値に形成されているとともに、ジンバル、サスペンション、アーム、軸受部、ベースを介してグランドに接続されている。
【００４０】
また、磁気ヘッド３３は、リターンヨーク６８の近傍に設けられたヒータ５８に加えて、第２のヒータ８４を備えている。第２ヒータ８４は、磁気再生素子５４の近傍で、かつ、磁気再生素子と主磁極６６との間に配設されている。ヒータ５８および第２ヒータ８４のそれぞれの一方の電極は、ヘッド部４４内に形成された図示しない金属膜およびスライダ４２の基板４２ａを介してクランドに接続されている。ヒータ５８および第２ヒータ８４のそれぞれ他方の電極は、図示しない金属膜を介して、ヘッド部４４の端子６０ｃに接続され、中継ＦＰＣを介して制御回路基板に接続されている。この場合、ヘッド部４４の端子は、記録素子用の２つ、再生素子用の２つ、ヒータ５８用の１つ、および第２ヒータ用の１つの合計６つに収めることができる。
【００４１】
第２の実施形態において、磁気ヘッド３３の他の構成、およびＨＤＤの構成は、前述した第１の実施形態と同一であり、同一の部分には同一の参照符号を付してその詳細な説明を省略する。
【００４２】
第２の実施形態によれば、予め決められた適切なタイミングおよび出力にてヒータ５８を駆動し、リターンヨーク６８部分を加熱して膨張、突出させ、リターンヨークを磁気ディスク表面に最も隣接する最下点部とする。これにより、磁気ヘッド３３は、リターンヨーク６８部分で磁気ディスク１２の表面に接触する。この状態で、磁気ディスク表面上に生じた静電気に伴い、磁気ヘッド３３に電位上昇が生じる。しかし、リターンヨーク６８は金属膜７４を介してグランドに接続されているため、磁気ディスク表面の静電気をグランドへ敏速に放電することができる。その結果、磁気ディスク１２と磁気ヘッド３３と間、特に、電気的破壊に弱い磁気再生素子５４と磁気ディスクとの間に不必要な電位差を生じさせず、静電気によるヘッド破壊を防ぐことができる。これにより、信頼性の高い磁気ヘッドおよびＨＤＤが得られる。
【００４３】
また、第２ヒータを駆動して磁気再生素子５４部分および主磁極の下端部分を加熱し、膨張、突出させることにより、磁気記録素子５６および磁気再生素子５４と磁気ディスクとの隙間を調整することができる。これにより、最適な隙間を設定し、情報の書き込み、読み出し特性を向上することが可能となる。
【００４４】
第２の実施形態において、第２ヒータ８４を駆動する際、連動してヒータ５８を駆動する。この際、リターンヨーク６８部分がヘッド部４４の最下点となるように、ヒータの出力を調整する。これにより、外乱によるスライダ４２の浮上量変動が生じた場合でも、磁気ヘッド３３の磁気再生素子５４が磁気ディスク表面に接触する前に、リターンヨーク６８部分が磁気ディスク表面に接触し、磁気ディスクの静電気をグランドに逃がすことができる。従って、静電気による磁気再生素子の損傷等を防止することができる。
【００４５】
なお、第２の実施形態において、第２のヒータ８４を省略してもよい。また、第２の実施形態において、第１の実施形態と同様に、リターンヨークを金属材料を介してヘッド部の端子に接続し、グランドに接続する構成としてもよい。
【００４６】
次に、この発明の第３の実施形態に係るＨＤＤの磁気ヘッドについて説明する。  
図８に示すように、第２の実施形態によれば、磁気ヘッド３３のヘッド部４４は、磁気記録素子５６を構成したリターンヨーク６８の流出端側に、絶縁層を挟んで並んで形成された非磁性導電層８６を有している。非磁性導電層８６は、ヘッド部４４の下端面まで延びている。非磁性導電層８６は、金属膜８８を介して、ヘッド部４４の端子６０ｃに接続されている。これにより、非磁性導電層８６は、金属膜８８、端子６０ｃ、中継ＦＰＣ、メインＦＰＣを介してプリアンプに接続され、プリアンプまで引き込まれたグランドに電気的に接続されている。従って、非磁性導電層８６はＨＤＤのグランドに接続されている。
【００４７】
非磁性導電層８６とグランドとの間の抵抗値は、主磁極６６、リターンヨーク６８、上部シールド層６２ｂ、下部シールド層６２ａ、磁気再生素子５４がそれぞれグランドに対して持つ抵抗値よりも低い値に形成されている。望ましくは、リターンヨーク６８とグランドとの間の抵抗値は、１０Ω以下に設定される。
【００４８】
ヒータ５８は、非磁性導電層の下端部近傍で、ヘッド部の流出端側に設けられている。このヒータ５８は、図示しない金属膜を介して、ヘッド部４４の端子に電気的に接続され、中継ＦＰＣを介して制御回路基板に接続されている。  
第３の実施形態において、磁気ヘッド３３の他の構成、およびＨＤＤの構成は、前述した第１の実施形態と同一であり、同一の部分には同一の参照符号を付してその詳細な説明を省略する。
【００４９】
第３の実施形態によれば、予め決められた適切なタイミングおよび出力にてヒータ５８を駆動し、非磁性導電層８６の部分を加熱して膨張、突出させ、非磁性導電層の下端部を磁気ディスク表面に最も隣接する最下点部とする。これにより、磁気ヘッド３３は、非磁性導電層８６部分で磁気ディスク１２の表面に接触する。この状態で、磁気ディスク表面上に生じた静電気に伴い、磁気ヘッド３３に電位上昇が生じる。しかし、非磁性導電層８６は金属膜８８を介してグランドに接続されているため、磁気ディスク表面の静電気をグランドへ敏速に放電することができる。その結果、磁気ディスク１２と磁気ヘッド３３と間、特に、電気的破壊に弱い磁気再生素子５４と磁気ディスクとの間に不必要な電位差を生じさせず、静電気によるヘッド破壊を防ぐことができる。これにより、信頼性の高い磁気ヘッドおよびＨＤＤが得られる。
【００５０】
なお、第３の実施形態において、磁気再生素子と磁気記録素子との間に第２ヒータを設け、磁気ディスク表面との隙間を調整する構成としてもよい。  
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、ヘッド部を構成する要素の材料、形状、大きさ等は、上述した第１、第２、第３の実施形態に限定されることなく、必要に応じて変更可能である。また、磁気ディスク装置において、磁気ディスクおよび磁気ヘッドの数は、必要に応じて増加可能であり、磁気ディスクのサイズも種々選択可能である。
【図面の簡単な説明】
【００５１】
【図１】図１は、この発明の第１の実施形態に係るＨＤＤを示す斜視図。
【図２】図２は、上記ＨＤＤにおける磁気ヘッドおよびサスペンションを示す側面図。
【図３】図３は、上記磁気ヘッドのスライダのディスク対向面側を示す斜視図。
【図４】図４は、上記磁気ヘッドおよびサスペンションを拡大して示す断面図。
【図５】図５は、上記磁気ヘッドのヘッド部を拡大して示す断面図。
【図６】図６は、上記ヘッド部を拡大して示す平面図。
【図７】図７は、上記磁気ヘッドおよびサスペンションを示す平面図。
【図８】図８は、この発明の第２の実施形態に係るＨＤＤの磁気ヘッドを拡大して示す断面図。
【図９】図９は、この発明の第３の実施形態に係るＨＤＤの磁気ヘッドを拡大して示す断面図。
【符号の説明】
【００５２】
１０…ケース、１１…ベース、１２…磁気ディスク、１３…スピンドルモータ、
１４…ヘッドアクチュエータ、２５…制御回路基板、２７…アーム、
３０…サスペンション、３７…ヘッドＩＣ、４２…スライダ、４４…ヘッド部、
５４…磁気再生素子、５６…磁気記録素子、５８…ヒータ、
６０ａ、６０ｂ、６０ｃ…端子、６２ａ…下部シールド層、６２ｂ…上部シールド層、６６…主磁極、６８…リターンヨーク、７４、８８…金属膜、８４…第２ヒータ、
８６…非磁性導電層
【図１】
2008186549.tif 000003
【図２】
2008186549.tif 000004
【図３】
2008186549.tif 000005
【図４】
2008186549.tif 000006
【図５】
2008186549.tif 000007
【図６】
2008186549.tif 000008
【図７】
2008186549.tif 000009
【図８】
2008186549.tif 000010
【図９】
2008186549.tif 000011